(57)【特許請求の範囲】
【請求項１】
前部開放型の収納部が設けられたキャビネット本体を含む洗面キャビネットにおいて、
前記収納部の左右幅を決定する左右一対の側壁と、これら側壁の相対面に設けられるとともに、上下方向に沿う複数の高さ位置に設けられた複数のガイド部と、各ガイド部に支持されて前後に出し入れ可能に設けられた複数のトレイとを備え、
前記トレイは、最下位に配置される最下位専用トレイと、これより上位に配置される上位トレイとを含み、
前記最下位専用トレイは、前記収納部の底部上面の汚損を防止する高さ位置に対応するガイド部にのみ支持されるとともに、前記上位トレイを支持するガイド部に対して支持不能に設けられていることを特徴とする洗面キャビネット。
【請求項２】
前記各ガイド部は、前記側壁内面の前後方向に延びる左右一対の凹溝により構成される一方、前記各トレイは、前記凹溝に受容される凸条を左右両側に備えた形状に設けられ、
最下位専用トレイの凸条上下幅は、上位トレイを支持するガイド部における凹溝の溝幅よりも大きく設定されていることを特徴とする請求項１記載の洗面キャビネット。
【発明の詳細な説明】
【技術分野】
【０００１】
本発明は洗面キャビネットに係り、更に詳しくは、収納部の底部上面を汚損することのない洗面キャビネットに関する。
【背景技術】
【０００２】
洗面室等に設置される洗面キャビネットは、内部に収納部が設けられたキャビネット本体と、このキャビネット本体の前部に取り付けられて前記収納部を閉塞する扉とを備えた構成が採用されている。
前記収納部には、所定の高さ位置にトレイ等が配置できる構成が採用されており、これにより、収納部を上下複数区分に仕切って利用できる構成が知られている（例えば、特許文献１参照）。
【０００３】
【特許文献１】特開２００３−２３５６５５号公報
【発明の開示】
【発明が解決しようとする課題】
【０００４】
しかしながら、特許文献１に記載された洗面キャビネットにあっては、収納部における最下位のトレイと収納部を形成する底部上面との間が収納空間として利用される構成となっているため、前記底部上面が収納対象物の載置面として作用し得るものとなり、収納対象物の材質等によっては、底部上面が汚損されてしまう、という不都合を招来する。
【０００５】
これを更に詳述すると、例えば、シェービングクリームが充填されたスプレー容器は、耐圧性の観点から金属製の管容器が採用されているとともに、製品の性質上、水で濡れることが不可避であるため、塗装が行われていない管容器の底部外周縁に錆が発生し易いものとなる。従って、この管容器を収納部の底部上面に置いた状態を放置すると、錆が収納部の底部上面に転着して当該底部上面を汚損してしまい、これを拭い取ろうとしても、完全に落とすことができなくなる、という不都合を生ずる。また、液体化粧品等の容器を収納対象物とした場合には、容器の胴部を伝って化粧液が容器の底部回りに付着する場合が多くあり、これにより収納部の底部上面を変質させてしまう場合もある。
【０００６】
ところで、前記収納部の左右幅を決定する左右の側壁に、前後方向に延びる溝等を形成してガイド部とし、このガイド部を利用してトレイを出し入れできる洗面キャビネットにあっては、収納部の最下位にあるガイド部にトレイを支持させて収納部の底部上面が載置面とならないようにすれば、当該底部上面が収納対象物によって汚損されるという不都合を解消し得ることとなる。
【０００７】
しかしながら、前述したトレイは、何れのガイド部に対しても支持可能な相対寸法に設定されているため、ユーザーが収納部の底部上面を載置面として使用できる高さ位置に最下位のトレイを配置した場合には、底部上面の汚損防止を期待することはできないものとなる。つまり、底部上面の汚損防止の対応は、ユーザーの使い方に依存したものとなり、普遍的若しくは画一的な汚損防止対策とはなっていない。
【０００８】
［発明の目的］
本発明は、このような不都合に着目して案出されたものであり、その目的は、例えば、トレイを汚損防止部材として収納部に配置する構成として当該収納部の底部上面を汚損することがなく、汚損防止部材が汚損することがあっても、当該汚損防止部材のみを交換することによってキャビネット本体の交換を必要とすることのない経済性を備えた洗面キャビネットを提供することにある。
【課題を解決するための手段】
【０００９】
前記目的を達成するため、本発明は、前部開放型の収納部が設けられたキャビネット本体を含む洗面キャビネットにおいて、
前記収納部の左右幅を決定する左右一対の側壁と、これら側壁の相対面に設けられるとともに、上下方向に沿う複数の高さ位置に設けられた複数のガイド部と、各ガイド部に支持されて前後に出し入れ可能に設けられた複数のトレイとを備え、
前記トレイは、最下位に配置される最下位専用トレイと、これより上位に配置される上位トレイとを含み、
前記最下位専用トレイは、前記収納部の底部上面の汚損を防止する高さ位置に対応するガイド部にのみ支持されるとともに、前記上位トレイを支持するガイド部に対して支持不能に設けられる、という構成を採ることが好ましい。
【００１１】
また、前記各ガイド部は、前記側壁内面の前後方向に延びる左右一対の凹溝により構成される一方、前記各トレイは、前記凹溝に受容される凸条を左右両側に備えた形状に設けられ、
最下位専用トレイの凸条上下幅は、上位トレイを支持するガイド部における凹溝の溝幅よりも大きく設定される、という構成を採ることができる。
【発明の効果】
【００１２】
本発明によれば、収納部の下部に汚損防止部材が着脱自在に設けられているため、汚損防止部材が底部上面に代わって汚損される対象となり、キャビネット本体を常に綺麗な状態に保つことができる。この場合、汚損防止部材を交換するだけで足りることになり、コスト的な負担も大幅に軽減することができる。特に、汚損防止部材として、収納部に配置されるトレイを利用することで、特別な汚損防止部材を形成する必要はないものとなる。
【００１３】
また、最下位専用トレイが支持される部位は、キャビネット本体の底部上面の汚損を防止する高さ位置に設けられたガイド部のみであるため、ユーザーが任意の高さ位置に最下位専用トレイを配置することを阻止できるようになり、汚損防止がユーザーの使い方に依存するという不都合は生じない。
【００１４】
更に、最下位専用トレイの凸状上下幅が、上位ガイド部の溝幅よりも大きく設定されただけの構成であるため、従来構造の僅かな設計変更によって汚損防止に対応できるものとなり、製造上のコスト的な負担も生じない。
【発明を実施するための最良の形態】
【００１５】
以下、本発明の好ましい実施の形態について、図面を参照しながら説明する。
【００１６】
図１には、本実施形態における洗面キャビネットの概略斜視図が示されている。この図において、洗面キャビネット１０は、キャビネット本体１１と、当該キャビネット本体１１の前部中央に配置された中央扉１２と、この中央扉１２の左右両側に配置された一対の袖扉１３，１３とを備えて構成されている。
【００１７】
前記キャビネット本体１１は、洗面ボール１４を備えたベースキャビネット１５の後部上方位置に設けられている。このキャビネット本体１１は、中央扉１２の後部に設けられた図示しない中央収納部と、左右両側に位置する収納部１８（左側は図示省略）とを備え、これら収納部１８の前部開放側が中央扉１２及び袖扉１３，１３によって閉塞されるようになっている。
【００１８】
前記収納部１８は、図２に示されるように、当該収納部１８の左右幅を決定する左右一対の側壁２３と、これら側壁２３間の上下に位置する天板部２４及び底部２５と、後壁部２６とを含む前部開放型に設けられている。側壁２３の相対面には、最下位ガイド部２７と、これより上位に設けられた複数の上位ガイド部２８が設けられている。最下位ガイド部２７及び上位ガイド部２８は、左右一対の凹溝２７Ａ、２８Ａをそれぞれ前後方向に設けることによって構成されている。好ましい実施形態では、最下位ガイド部２７を構成する凹溝２７Ａの溝幅Ｗ１は、上位ガイド部２８を構成する凹溝２８Ａの溝幅Ｗ２よりも大きく設定されている。
【００１９】
前記最下位ガイド部２７には汚損防止部材として作用する最下位専用トレイ３０が支持される一方、上位ガイド部２８には、上位トレイ３１が支持されるようになっている。最下位専用トレイ３０及び上位トレイ３１は、いずれも上端を開放した平面視略方形の有底容器状に設けられているとともに、その左右両側面の上部に、前後方向に延びる凸条３０Ａ、３１Ａをそれぞれ備えた形状に設けられている。最下位専用トレイ３０の凸条３０Ａの上下幅Ｈ１は、最下位ガイド部２７の溝幅Ｗ１より僅かに小さいとともに、上位ガイド部２８の溝幅Ｗ２よりも大きい寸法に設定されている。従って、最下位専用トレイ３０は上位ガイド部２８の凹溝２８Ａに差し込んで装着することができないものとなり、最下位専用トレイ３０は、ユーザーの意思に関わりなく最下位ガイド部２７のみに支持されることとなる。なお、上位トレイ３１の凸条３１Ａの上下幅Ｈ２は、上位ガイド部２８における凹溝２８Ａの溝幅Ｗ２よりも僅かに小さい寸法に設定されている。
【００２０】
従って、このような実施形態によれば、最下位専用トレイ３０が収納部１８の底部２５の直近上方に設けられた最下位ガイド部２７に支持される構成であり、最下位専用トレイ３０と底部２５上面との間に実質的な収納空間を形成しないため、当該底部２５上面を汚損から効果的に保護することが可能となる。
しかも、最下位専用トレイ３０は、上位ガイド部２８に支持不能となっているため、ユーザーが最下位専用トレイ３０を段替えすることができず、常に、最下位ガイド部２７に支持された位置を保つことになるため、ユーザーの使い方に依存することなく底部２５上面の汚損防止を実現することができる。
【００２１】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
例えば、前記実施形態では、有底容器状のトレイ３０，３１を用いた場合を図示、説明したが、本発明は、これに限定されるものではなく、シンプルな板材を用いることでもよい。この場合、板材の板厚を前述した凸条３０Ａ、３１Ａの上下幅Ｈ１，Ｈ２に対応させれば足りる。
また、最下位ガイド部２７及び上位ガイド部２８を凹溝２７Ａ、２８Ａによって構成する一方、これら凹溝２７Ａ、２８Ａに対応する凸条３０Ａ、３１Ａを最下位専用トレイ３０及び上位トレイ３１に設ける構成としたが、ガイド部側を凸条とする一方、トレイ側を凹溝としてもよい。但し、各トレイ３０，３１内の有効収納平面積を最大に確保にする上では前記実施形態で示した構成が有利となる。
更に、前記実施形態では、収納部１８の前部が袖扉１３で閉塞されるタイプの洗面キャビネットを示したが、扉を有しない洗面キャビネットにも勿論適用することができる。
【図面の簡単な説明】
【００２３】
【図１】実施形態に係る洗面キャビネットの全体構成を示す概略斜視図。
【図２】洗面キャビネットの要部を一部分解した拡大図。
【符号の説明】
【００２４】
１０…洗面キャビネット、１１…キャビネット本体、１３…袖扉、１８…収納部、２３…側壁、２５…底部、２７…最下位ガイド部、２８…上位ガイド部、２７Ａ、２８Ａ…凹溝、３０…最下位専用トレイ（汚損防止部材）、３１…上位トレイ、３０Ａ、３１Ａ…凸条
【図１】
0004490378.tif 000002
【図２】
0004490378.tif 000003